(57)【特許請求の範囲】
【請求項１】
遊水容器に直線状に配列された吸込口と吐出口とを備え、該吐出口側に制魚スクリーンを設け、該吸込口と異なる側面に魚放出機構を設けて、遊水容器の蓋に空気抜きを装備して成る制魚装置。
【請求項２】
魚放出機構が、開閉弁であることを特徴とする請求項１に記載の制魚装置。
【請求項３】
取水口と取水ポンプの間に制魚装置を配置してなる制魚方法であって、請求項１に記載の制魚装置の吸込口側と吐出口側に開閉弁を配置し、両開閉弁を閉塞した後に魚の取出しを行うことを特徴とする制魚方法。
【請求項４】
取水口と取水ポンプの間に制魚装置を配置してなる制魚方法であって、請求項１に記載の制魚装置を併置し、該制魚装置の吸込口側と吐出口側とを切替弁を介して相互に接合して成り、一方の制魚装置を取水状態にしながら他方の制魚装置を閉塞して魚の取出しを行うことを特徴とする制魚方法。
【請求項５】
切替弁が、三方弁であることを特徴とする請求項４に記載の制魚方法。
【発明の詳細な説明】
【０００１】
【発明の属する技術分野】
本発明は、深層水取水ポンプ設備等に用いる制魚装置と制魚方法であって、深層水と一緒に混入した魚を、深層水に空気を混入させないで簡潔に取り出すことができる制魚装置と制魚方法に関する。
【０００２】
【従来の技術】
近年、深海の深層水を活用して、漁獲類の飼育を効率的に実施する試みが盛んに行われており、深層水を取水する設備が多く配置されている。
深層水は、清浄なことを求められることから、ポンプ内に流入した魚がポンプを破損させたり、流入した魚をポンプ等が粉砕して深層水を混濁させないために、魚が流入することは絶対に避けなければならない。そこで、深層水の取水には、深層水と一緒に混入してくる魚の排除が必要であり、従来から魚を生きたまま取り出すために魚専用のストッパーとして制魚装置を設備することが必須になっている。
【０００３】
しかし、従来の制魚装置は、図５に示すように既存のストレーナー３０を流用して、これに制魚スクリーン３１を装備してあるだけで、内部に流入した魚は蓋３２を外して網等ですくい出していたものであるから、下記のような問題点を生じていた。なお、３４はストレーナー内部の魚を確認するのぞき窓である。
▲１▼深層水取水では清浄水が要求されることから、生きた状態で流入魚を取り出す必要があるために蓋３２の開閉頻度が多くなり、ボルト、ナット３３の取り外し等に手間が掛かる。
▲２▼深層水取水では、深層水の酸化も問題になるが、蓋３２の開閉に伴って制魚装置内に入る空気を抜き出すことができない。
【０００４】
【発明が解決しようとする課題】
本発明は、上記の問題点に鑑みてその改善を図ったものであり、流入魚を生きたままで簡単に取り出すと共に、装置内の空気を抜き出すことができる制魚装置と制魚方法の提供を課題にしている。
【０００５】
【課題を解決するための手段】
本発明による制魚装置は、遊水容器に直線状に配列された吸込口と吐出口とを備え、吐出口内側に制魚スクリーンを設け、吸込口と異なる側面に開閉弁等の魚放出機構を設けて、遊水容器の蓋に空気抜きを装備して構成しており、流入した魚は魚放出機構から簡単に取り出すことができると共に、必要に応じて遊水容器内の空気を抜き出すことも容易に出来る。
【０００６】
又、本発明による制魚方法は、取水口と取水ポンプの間に上記制魚装置を配置し、制魚装置の吸込口側と吐出口側に開閉弁を配置して、両開閉弁を閉塞した後に魚の取出しを行うことを特徴としており、深層水に空気が接触することを少なくして、深層水の酸化を防止している。
【０００７】
さらに、本発明による制魚方法は、取水口と取水ポンプの間に上記制魚装置を併置し、制魚装置の吸込口側と吐出口側とを三方弁等の切替弁を介して相互に接合して成り、一方の制魚装置を取水状態にしながら他方の制魚装置を閉塞して魚の取出しを行うことを特徴としており、切替弁を操作して深層水取水の流れを他方の制魚装置に移すことで、一方の制魚装置から魚を除去している間でも、取水ポンプを停止させずに魚の取り出し作業を行うことができる。
【０００８】
【発明の実施の形態】
本発明による制魚装置は、遊水容器に直線状に配列された吸込口と吐出口とを備え、吐出口内側に制魚スクリーンを設け、吸込口と異なる側面に開閉弁等の魚放出機構を設けて、遊水容器の蓋に空気抜きを装備して構成しており、流入した魚は魚放出機構から簡単に取り出すことができると共に、必要に応じて遊水容器内の空気を抜き出すことも容易に出来るものである。以下に実施の形態を図面に基づいて説明する。
【０００９】
本発明による制魚装置の実施の形態を、図１〜３に基づいて説明する。
図１は、制魚装置の正面図と平面図である。図示のように、制魚装置１は、遊水容器２とこれに配列された吸込口３、吐出口４、魚放出機構５及び空気抜き６から構成されている。
遊水容器２は、可能な限り大きいものが望ましく、円筒状の容器本体７と蓋８から形成されている。容器本体７には後述するのぞき窓１３が設けてある。蓋８には空気抜き６を装備してあり、ボルト、ナット９によって容器本体７に締結されて上端を密閉している。
吸込口３と吐出口４とは、容器本体７に直線状に配列されており、本実施の形態では、魚放出機構５はボール弁１０を備えたパイプ１１から構成されており、吸込口３と吐出口４が形成している直線方向と直角の方向に配置している。
【００１０】
図２は、図１の（２）−（２）断面図であり、図３は、図１の（３）−（３）断面図である。
容器本体７の内部には、制魚スクリーン１２が吐出口４を塞ぐように所定の間隔を保って配置されている。これによって、深層水と共に流入されてくる魚は遊水容器内部に封入されることになり、取水ポンプに入り込むのを阻止している。魚は多く封入されると、互いに擦り合ったり死亡したりして、魚からの破損物等を飛散させ、深層水を汚染することになる。深層水は、これを避ける必要があるために、容器本体７の側面には、遊水容器内部に流入されてくる魚を監視するのぞき窓１３を設けている。のぞき窓１３は、透明で耐候性に優れているアクリル樹脂製のものが適当である。
ボール弁１０は、取水を行っている常時は閉塞しているが、流入した魚を取り出す時にはハンドル操作によって、図示のように開放状態にすることで、容器本体７から魚を深層水と共に簡単に放出できる。
【００１１】
吸込口３と吐出口４とは、深層水取水ポンプ設備の取水口側パイプと、取水ポンプとに接続するように、パイプの先端に結合用のフランジを設けている。魚放出機構５の配置は、上述の吸込口等と直角にする必要はなく、吸込口と異なる側面であればその位置は任意である。
【００１２】
次ぎに、本発明による制魚方法について実施の形態を説明する。
本発明による制魚方法は、取水口と取水ポンプの間に上記制魚装置を配置し、制魚装置の吸込口側と吐出口側に開閉弁を配置して、両開閉弁を閉塞した後に魚の取出しを行うことを基本にして、深層水に空気が接触することを少なくして、深層水の酸化を防止し、さらには、取水口と取水ポンプの間に上記制魚装置を併置し、制魚装置の吸込口側と吐出口側とを三方弁等の切替弁を介して相互に接合して成り、一方の制魚装置を取水状態にしながら他方の制魚装置を閉塞して魚の取出しを行うことで、切替弁を操作して深層水取水の流れを他方の制魚装置に移すことで、一方の制魚装置から魚を除去している間でも、取水ポンプを停止させずに魚の取り出し作業を行うことができるものであり、以下に実施の形態を図面に基づいて説明する。
【００１３】
図４は、本発明による制魚方法の実施の形態を示す斜視図である。
図示のように、本発明による制魚方法を適用した深層水取水ポンプ設備２０は、取水口と取水ポンプの間に制魚装置を２個配置して互いに併置している。
各制魚装置１、１’の吸込口３は、一側において切替弁としての三方弁２１を介して相互に接合した配管２２で取水口側と結合しており、同様に各制魚装置１の吐出口４は、一側において切替弁としての三方弁２３を介して相互に接合しており、配管２４で取水ポンプ側と結合している。
又、各制魚装置１、１’に装備している空気抜き６、６’は、切り替え作用を行う三方弁２５を介して相互に接合した状態で配管２６されており、図示していないエア抜きポンプに結合している。
【００１４】
以上の構成において、深層水取水ポンプ設備２０の稼働は、以下のように行われる。
先ず、制魚装置１の基本的作動は、深層水の取水に際して取水口側から魚が流入してきた場合に、制魚装置１の制魚スクリーン１２によって魚を遊水容器２内に滞留させて置き、滞留している魚を所定の間隔で、遊水容器外に放出除去することにあるが、魚の取り出しは、魚放出機構５のボール弁１０を操作して閉塞状態から開放状態に切り替えることで、深層水の流出と同時に容易に行うことができる。
【００１５】
そして、この場合には、制魚装置１の吸込口３と吐出口４とに配置した開閉弁としての三方弁２１、２３を閉塞した状態にして、空気が深層水に接触して酸化しないようにしている。
又、魚の取り出しが完了した後は、魚放出機構５のボール弁１０を再操作して閉塞状態に切り替え、空気抜き６、６’の三方弁２５を操作して遊水容器を図示していないエア抜きポンプと結合して開放状態にする。
エア抜きポンプの開放は、一般的に、集水された深層水の水面下に制魚装置１が位置していることから、遊水容器内に深層水の流入を発生させる。流入した深層水は、遊水容器内部の空気を押し出すことになるので、遊水容器内部が流入した深層水で満水になった段階で、空気抜き６、６’の三方弁２５を操作して遊水容器を閉塞状態にする。この操作によって、再取水した時にも深層水は空気に接触することがなくなるので、酸化するのを防止できる。
【００１６】
周知のように、三方弁２１、２３は、「両側閉塞」、「両側開放」、「片側のみ開放」、「反対側のみ開放」に切り替えられるものである。
従って、上記の基本的作動は、図示の構成において各制魚装置を独立させて個別に稼働させることに相当する。三方弁２１、２３を操作して「両側開放」して制魚装置１、１’を開放状態ににするか、「片側のみ開放」の状態にして制魚装置１を開放状態にし、制魚装置１’は閉塞状態にする。そして、魚取り出し時の閉塞は、三方弁２１、２３の「両側閉塞」操作の選択によって各制魚装置１、１’を共に閉塞し、制魚装置１、１’からの魚取り出し時の上記閉塞状態を形成することになる。
制魚装置１からの魚の取り出しが完了した後は、ボール弁１０を再び閉鎖状態にし、同時に空気抜き６、６’の三方弁２５を操作して制魚装置１の遊水容器を図示していないエア抜きポンプと結合して開放状態にする。そして、以降の深層水を再取水した時に酸化をしないようにすることは上述の基本的作動と同様である。
【００１７】
又、深層水の取水を継続させながらの魚の取り出しは、次のように実施される。
深層水の取水は、三方弁２１、２３の「両側開放」によって両方の制魚装置１、１’を通じて同時並行に行われる。
そして、仮に、制魚装置１から魚の取り出しを行いたい場合には、三方弁２１、２３を「反対側のみ開放」に切り替えることで、制魚装置１の吸込口３と吐出口４を閉塞状態にして制魚装置１からの取水を停止するが、この段階では、深層水の取水が制魚装置１’を通じて継続されている。
次いで、制魚装置１の魚放出機構５に配備されているボール弁１０を操作し、ボール弁１０を閉塞状態から開放状態に切り替えることで、制魚装置１からの魚の取り出しは、深層水の流出と同時に容易に行うことができる。
【００１８】
この場合にも、制魚装置１からの魚の取り出しが完了した後は、ボール弁１０を再び閉鎖状態にし、同時に空気抜き６、６’の三方弁２５を操作して制魚装置１の遊水容器を図示していないエア抜きポンプと結合して開放状態にする。従って、以降の深層水を再取水した時に酸化をしないようにすることは上述の基本的作動と同様である。
【００１９】
以上のように、本発明による制魚装置は、深層水に流入した魚をボール弁の簡単な操作で取り出すことができるので手間が掛からないと同時に、魚の取り出しによって遊水容器内に入った空気は空気抜きを通じて簡潔に抜き出すことができるので、深層水の酸化を防止することが可能になり、従来の問題点を完全に解決している。
【００２０】
以上、本発明を実施の形態に基づいて詳細に説明してきたが、本発明による制魚装置は、遊水容器に直線状に配列された吸込口と吐出口とを備え、吐出口内側に制魚スクリーンを設け、吸込口と異なる側面に開閉弁等の魚放出機構を設けて、遊水容器の蓋に空気抜きを装備して構成しており、制魚方法は、制魚装置を単独もしくは２個併置し吸込口と吐出口に開閉弁を直接もしくは切替弁を介して配置することを発明の趣旨にしているものであるから、上記実施の形態に何ら限定されるものでなく、発明の趣旨に反しない範囲において変更が可能であることは当然である。
【００２１】
【発明の効果】
請求項１、２に記載の発明による制魚装置は、遊水容器に直線状に配列された吸込口と吐出口とを備え、吐出口内側に制魚スクリーンを設け、吸込口と異なる側面に開閉弁等の魚放出機構を設けて、遊水容器の蓋に空気抜きを装備して構成しており、流入した魚は魚放出機構から簡単に取り出すことができると共に、必要に応じて遊水容器内の空気を抜き出すことも容易に出来る効果を奏している。
【００２２】
請求項３に記載の発明による制魚方法は、取水口と取水ポンプの間に上記制魚装置を配置し、制魚装置の吸込口側と吐出口側に開閉弁を配置して、両開閉弁を閉塞した後に魚の取出しを行うことを特徴としており、深層水に空気が接触することを少なくして、深層水の酸化を防止する効果を奏している。
【００２３】
請求項４、５に記載の発明による制魚方法は、取水口と取水ポンプの間に上記制魚装置を併置し、制魚装置の吸込口側と吐出口側とを三方弁等の切替弁を介して相互に接合して成り、一方の制魚装置を取水状態にしながら他方の制魚装置を閉塞して魚の取出しを行うことを特徴としており、切替弁を操作して深層水取水の流れを他方の制魚装置に移すことで、一方の制魚装置から魚を除去している間でも、取水ポンプを停止させずに魚の取り出し作業を行うことができる効果を奏している。
【図面の簡単な説明】
【図１】本発明による制魚装置の正面図と平面図
【図２】図１に示した制魚装置の（２）−（２）断面図
【図３】図１に示した制魚装置の（３）−（３）断面図
【図４】本発明による制魚方法の斜視図
【図５】従来の制魚装置断面図
【符号の説明】
１、１’  制魚装置、  ２  遊水容器、  ３  吸込口、  ４  吐出口、
５  魚放出機構、  ６、６’  空気抜き、  ７  容器本体、  ８  蓋、
９  ボルト、ナット、  １０  ボール弁、  １１  パイプ、
１２  制魚スクリーン、  １３  のぞき窓、  ２０  深層水取水ポンプ設備、
２１、２３  三方弁、  ２２、２４  配管、  ２５  三方弁、  ２６  配管、
３０  ストレーナー、  ３１  制魚スクリーン、  ３２  蓋、
３３  ボルト、ナット、  ３４  のぞき窓、
【図１】
0003671334.tif 000002
【図２】
0003671334.tif 000003
【図３】
0003671334.tif 000004
【図４】
0003671334.tif 000005
【図５】
0003671334.tif 000006